(57)【要約】【課題】防腐剤等の刺激性のある薬剤を用いることなく、衛生的に内容物を保管する。【解決手段】液体が含浸される吸水性の内容物１１を収容する包装容器であって、開閉可能な開閉部を有する容器本体１０と、容器本体１０内に配置され液体が封入された溶液封入部５０ａと、内容物１１が封入された状態で容器本体１０内に収容される袋体３０と、袋体３０の一部であって、シール部材４２から引き出される引出部３１と、袋体３０の一部に形成され、袋体３０を破断させる破断部３０ｂとを備える。シール部材は、容器本体１０内に連通する開口部４１と、容器本体１０の外表面において開口部４１を塞ぐ部材であって再接着可能なシール状をなすシール部材４２とを備えている。【選択図】  図２
2018100713.tif 000002
【特許請求の範囲】
【請求項１】
液体が含浸される吸水性の内容物を収容する包装容器であって、
開閉可能な開閉部を有する容器本体と、
前記容器本体内に配置され液体が封入された溶液封入部と、
前記内容物が封入された状態で前記容器本体内に収容される袋体と、
前記袋体の一部であって、前記開閉部から引き出される引出部と、
前記袋体の一部に形成され、前記袋体を破断させる破断部と
を備えることを特徴とする包装容器。
【請求項２】
前記包装容器内において、前記袋体の外部に配置され、前記溶液封入部に封入された液体に混合される混合剤をさらに備えることを特徴とする請求項１に記載の包装容器。
【請求項３】
前記容器本体には、切取線に沿って開封する開封部が形成されるとともに、前記開封部には開閉可能に前記開封部の開口を閉止する封止部が設けられ、
前記引出部には、前記開口部を塞ぐ部材に対して接離可能に固着されている
ことを特徴とする請求項３又は４に記載の包装容器。
【請求項４】
請求項１乃至３のいずれかに記載の包装容器の使用方法であって、
前記容器本体の前記開閉部を閉止した状態で、前記容器本体内に配置された溶液封入部を破断させ、前記溶液封入部内の液体を、前記袋体外であって前記容器本体内に行き渡らせた後に、前記開閉部を開放し、前記開閉部から前記引出部を引っ張って前記袋体を前記破断部にて破断させ、前記内容物に前記液体を含浸させる
ことを特徴とする包装容器の使用方法。
【発明の詳細な説明】
【技術分野】
【０００１】
本発明は、携帯用ウエットシートなど、水や化粧水などの液体が含浸される吸水性の内容物を収容する包装容器及びその使用方法に関する。
【背景技術】
【０００２】
従来、液体が含浸される吸水性の内容物を収容する包装容器としては、薬液等を染みこませたウエットシートを内容物として収容するようなものがある。この薬液等を染みこませたウエットシートは、化粧用、皮膚の汚れや汗、口回り、口腔用、排便の後始末など、育児、医療・介護の場面の他、動物ペットの飼育、床や机、車の清掃など種々の用途に便利であり、一般の家庭や医療の現場などで好んで用いられている。このようなウエットシートは、乾燥した通常のシート等と比べると、付着した化粧や汚れを簡易かつ迅速に拭うことができ、確実に除去できて極めて有益である。【０００３】
従来のウエットシートは、袋状、箱状又は筒状の収容体に収容したウエットシートを取り出すための開口部が形成され、その開口部を塞ぐ蓋体又は再剥離可能なシール部材を有する構成となっており、この開口部を密閉することによりウエットシートの乾燥を防いでいた。このような構成のウエットシートでは、使用するたびに蓋体又はシール部材を大きく開けて、開口部からウエットシートを取り出すようになっているため、そのたびにウエットシートの薬液が蒸発し、乾燥し易いという問題があった。特に携帯用などの軟質性のある包装袋については、硬質な箱型又は筒型のウエットシート容器に比べて、開口部をしっかりと密封するように蓋体又はシール部材を再貼着することは困難である。【０００４】
このような課題を解決するため、特許文献１のように、蓋体を開けないでもウエットシートを取り出せる包装体が提案されている。すなわち、包装袋上に複数の第一の開口部及び第二の開口部を設け、ウエットシートが二つの開口部を連続して通過させることによって、シール部材を剥離しなくても、ウエットシートを取り出せるようになっている。さらに、特許文献１は、ウエットシートを引き抜いた際、取り出し口から次のウエットシートの頭だけが出るようにし、その頭を摘んでウエットシートを順次引き抜くことができる。従って、ウエットシートを取り出すための開口面積がより小さくなって、ウエットシートの乾燥を防ぐことができる。
【先行技術文献】
【特許文献】
【０００５】
【特許文献１】特開２００５−１１２４４３号公報
【発明の概要】
【発明が解決しようとする課題】
【０００６】
しかしながら、特許文献１に開示された包装体では、開封前のウエットシートが包装体内に収納されている間は、ウエットシートに液体が含浸された湿潤状態にあり、このような湿潤状態においては、乾燥状態と比べると、雑菌・ウィルスが付着、繁殖しやすくなり衛生面が低下する惧れがある。これに対して、従来では、防腐剤や殺菌剤・防菌剤等の成分を配合する方法が採用されているが、ウエットシートなどは皮膚に直接接触させるものであることから、防腐剤等の刺激性のある薬剤を配合すると、体質によってはアレルギーや肌荒れ等のトラブルを招く可能性がある。【０００７】
そこで、本発明は、上記のような課題を解決するものであり、液体が含浸される吸水性の内容物を収容する包装容器において、防腐剤等の刺激性のある薬剤を用いることなく、衛生的に内容物を保管できる包装容器及びその使用方法を提供することを目的とする。
【課題を解決するための手段】
【０００８】
上記課題を解決するために、本発明は、液体が含浸される吸水性の内容物を収容する包装容器であって、
開閉可能な開閉部を有する容器本体と、
前記容器本体内に配置され液体が封入された溶液封入部と、
前記内容物が封入された状態で前記容器本体内に収容される袋体と、
前記袋体の一部であって、前記開閉部から引き出される引出部と、
前記袋体の一部に形成され、前記袋体を破断させる破断部と
を備えることを特徴とする。【０００９】
本発明では、吸水性の内容物を乾燥させた状態で袋体に収容し、この袋体をさらに容器本体内に配置させる。この袋体を収容した状態で、袋体とは別に、液体が封入された溶液封入部を容器本体内に配置して、開閉部を封止することにより製品として完成される。そして、製品の使用時には、先ず、開閉部を開封する前に、液体が封入された溶液封入部を容器本体内で潰すなどの刺激を加えることによって破断させ溶液封入部内の液体を容器本体内に流出させる。このとき内容物は乾燥した状態で袋体内に収容されており、流出された液体が含浸することはない。この状態で容器本体を揉んだり振ったりすることにより、容器本体内に液体が行き渡るようにした後、開閉部を開放して容器本体内部の引出部を引き出す。これにより、袋体の破断部が破断して、袋体内の吸水性の内容物が袋体外に露出され、周囲の液体が吸収され含浸されることとなる。引き出し部を開閉部から引き出すことによって、破断した袋体を容器本体内に内容物を残したまま取り出してもよい。【００１０】
このような本発明によれば、開封前には、吸水性の内容物が乾燥された状態で袋体に収容されているとともに、この袋体とは別に、液体が封入された溶液封入部を容器本体内に配置しているため、内容物に液体が含浸することがなく、開封前の内容物が包装体内に収納されている間に、雑菌・ウィルスが付着、繁殖しやすくなるのを回避して、衛生面を向上させることができる。また、液体は溶液封入部に封入され、外気から遮断されている状態とすることができることから、防腐剤や殺菌剤・防菌剤等の刺激性のある成分を配合する必要がない。このため、本発明によれば、内容物がウエットシートなどの皮膚に直接接触させるものであっても、アレルギーや肌荒れ等のトラブルを防止できる。【００１１】
なお、本発明における上記液体としては、アレルギーや肌荒れ等のトラブルが生じ難い液状成分であれば種々のものを用いることができる。例えば、水道水、蒸留水、硬水、中硬水、軟水、超硬水の他、水素水、還元水、天然水、純水、原水、電解水、酸素水、海洋深層水、アルカリイオン水、炭酸水、発泡水、無発泡水等の機能水或いは機能性水が挙げられる。【００１２】
また、このような発明によれば、内容物の使用に際して開閉部を開封する前に溶液封入部を潰すなどの刺激を加えることによって破断させて、溶液封入部内の液体を容器本体内に流出させることができる。これにより、容器本体を揉んだり振ったりすることによって、容器本体内に液体が行き渡るようにした後に、袋体を破断させて内容物を袋体外に露出させることができ、周囲の液体を内容物に十分に含浸させることができる。【００１３】
上記発明では、前記包装容器内において、前記袋体の外部に配置され、前記溶液封入部に封入された液体に混合される混合剤をさらに備えることが好ましい。この混合剤としては、例えば、香料、薬剤、界面活性剤、保湿剤、消臭剤、保存剤・殺菌剤、発熱剤、冷却剤等が含まれ、これらの成分を溶解或いは配合させた水や有機系の溶液や溶剤であったり、これらの成分をカプセルに充填したり、フリーズドライ製法等でパウダー状にしたり、固化させてフィルム状にしたりなど、公知の形態が好適に使用可能であり、これらを上述した水等の液状成分と混合させて使用する。【００１４】
この場合には、未開封の状態にあっては、液体に混合される成分を、液体と分けて保存することができるため、成分の劣化や雑菌・ウィルスの繁殖等を抑制するとともに、成分の鮮度を維持でき、衛生面をさらに向上させることができる。特に、本発明では、開閉部を開封する直前に溶液封入部内の液体を容器本体内に流出させることから、容器本体を揉んだり振ったりすることによって、容器本体内の液体と混合剤とを十分に混合させ、混合された溶液が内容物の周囲に十分に行き渡るようにしたうえで内容物に含浸させることができ、混合剤が混合した溶液を均一に内容物に吸収させることができる。【００１５】
上記発明において前記開閉部は、前記容器本体内に連通する開口部と、前記容器本体の外表面において前記開口部を塞ぐ部材であって、再接着可能なシール状をなすシール部材とから構成されることが好ましい。この場合には、再接着可能なシール部材で開口部を塞ぐため、繰り返し開閉しても内部の湿潤状態を維持することができるとともに、雑菌・ウィルス等の混入を防ぐとことができる。【００１６】
上記発明において前記開閉部は、前記容器本体内に連通する開口部と、前記容器本体の外表面において前記開口部を塞ぐ部材であって、前記開口部に螺合されるキャップ状をなすキャップ部材とから構成されることが好ましい。この場合には、開口部に螺合されるキャップ部材で開口部を塞ぐため、繰り返し開閉しても内部の湿潤状態を維持することができるとともに、雑菌・ウィルス等の混入を防ぐとことができる。【００１７】
さらに、上記発明において、容器本体には、切取線に沿って開封する開封部が形成されるとともに、前記開封部には開閉可能に前記開封部の開口を閉止する封止部が設けられ、前記引出部には、前記開口部を塞ぐ部材に対して接離可能に固着されていることが好ましい。この場合には、上述したシール部材やキャップ部材を開ける動作により、容器本体内の袋体の引出部を引き出すことができるため、引出部を開口部からつまみ出すような煩雑な操作を不要とすることができ、製品の利便性を向上させることができる。また、切取線に沿って開封する開封部を設けることにより、開封部を開放することによって内容物を取り出しやすくなり、開口を閉止する封止部を設けることにより、開封部を開封しても内部の湿潤状態を維持することができるとともに、雑菌・ウィルス等の混入を防ぐとことができる。
【発明の効果】
【００１８】
以上述べたように、本発明に係る包装容器によれば、開封前にあっては、内容物に液体を含浸させないため、開封前の内容物に、雑菌・ウィルスが付着、繁殖しやすくなるのを回避して、衛生面を向上させることができ、また、液体は溶液封入部に封入されて外気から遮断されている状態にできるため、防腐剤や殺菌剤・防菌剤等の刺激性のある成分を配合する必要がない。このため、本発明によれば、内容物がウエットシートなどの皮膚に直接接触させるものであっても、アレルギーや肌荒れ等のトラブルを防止しつつ、衛生的に内容物を提供できる。
【図面の簡単な説明】
【００１９】
【図１】第１実施形態に係る包装容器の全体構成を示す斜視図である。
【図２】第１実施形態に係る包装容器の側断面図である。
【図３】第１実施形態に係る包装容器の使用例を示す側断面図である。
【図４】第１実施形態に係る包装容器の使用態様を示す説明図である。
【図５】（ａ）は第２実施形態に係る包装容器の全体構成を示す透過正面図であり、（ｂ）はその変形例を示す。
【図６】第２実施形態に係る包装容器の全体構成を示す斜視図である。
【図７】第２実施形態に係る包装容器の使用方法１を示す説明図である。
【図８】第２実施形態に係る包装容器の使用方法２を示す説明図である。
【発明を実施するための形態】
【００２０】
［第１実施形態］
（包装容器の全体構成）
以下に添付図面を参照して、本発明に係る包装容器の第１実施形態を詳細に説明する。図１は、本実施形態に係る包装容器の全体構成を示す斜視図であり、図２はその側断面図である。
【００２１】
本実施形態に係る包装容器１は、薬液等を染みこませたウエットシートなどが収容可能であり、化粧用、皮膚の汚れや汗、口回り、口腔用、排便の後始末など、育児、医療・介護の場面の他、動物ペットの飼育、床や机、車の清掃など種々の分野で利用可能である。具体的に包装容器１は、図１及び図２に示すように、全体構成の基体となり開閉部としてのシール部材４２を有する内部中空の容器本体１０と、容器本体１０内に配置される溶液封入部５０ａと、袋体３０とから概略構成される。
【００２２】
容器本体１０は、開閉可能なシール部材４２を有する矩形状のパックであり、アルミやビニール等の耐水性の高い素材で形成されたシートを、周縁及び端部１０ａを熱溶着により固着することにより、矩形状で内部中空の容器を形成している。
【００２３】
容器本体１０に収納される内容物１１としては、パルプ、綿、麻などの植物繊維、毛、絹などの動物繊維、レーヨン、キュプラのような再生繊維、アセテート、プロミックスのような半合成繊維、合成繊維などからなる不織布、天然パルプ、合成パルプなどからなる紙、あるいはガーゼ等の布など湿潤強度を有する、乾燥状態のシート状物である。
【００２４】
袋体３０は、内容物１１が封入された状態で容器本体１０内に収容される気密性の袋体であり、例えば、薄いビニールやアルミ箔等で形成される。この袋体３０は、本実施形態では、吸水性のウエットシート等の内容物１１を乾燥させた状態で収容し、内容物を収容した状態でさらに容器本体１０内に配置される。
【００２５】
本実施形態において、この袋体３０は、開口部４１から引き出される引出部３１と、袋体３０を破断させる破断部３０ｂとを備えている。引出部３１は、例えば袋体３０の角部など突起状をなしている部分でもよく、袋体３０に貼り合わせた際に形成される溶着部分などであってもよい。破断部３０ｂは、例えば袋体の底面側に形成されたミシン目などの破断線や切り込み厚みが薄くなった部位などであってもよい。
【００２６】
さらに、本実施形態では、袋体３０には、引出部３１を切除するための切取線３０ａが形成されている。図３に示すように、引出部３１を引き出して底面側の破断部３０ｂを破断させた後に、袋体３０本体を、容器本体１０内に残したまま、引出部３１を切取線３０ａに沿って引き千切って切除する。このように引出部３１を切除することにより、袋体３０上部に開口部が形成され、この開口部からも袋体の底面側内に液体を流入させることができるとともに、袋体３０を取り除く作業をしなくても、引出部を切除した開口部から内容物を取り出すことができる。
【００２７】
開閉部であるシール部材４２は、容器本体１０の上面に設けられた開閉可能な可撓性のある部材であり、本実施形態では、容器本体１０内に連通する開口部４１と、容器本体１０の外表面において開口部４１を塞ぐ部材であって再接着可能なシール状をなすシール部材４２とから構成される。なお、容器本体が袋状である場合、この開閉部としては袋体の上部開口とすることができ、この袋体の上部開口には例えばチャックやジッパー（商標）などにより開閉可能に塞ぐことができる。
【００２８】
開口部４１は、矩形状や楕円などの形状の孔であり、液体が含浸した状態の内容物１１をつまみ出せる程度の面積を有している。シール部材４２は、例えば再接着が可能な接着剤が塗布されたビニール等のシール部材で形成され、開口部４１の周縁に剥離可能に接着されて開口部４１を塞ぐため、繰り返し開閉しても内部の湿潤状態を維持できるとともに、雑菌・ウィルス等の混入を防ぐとことができるようになっている。
【００２９】
また、引出部３１がシール部材４２に対して接離可能に固着されていてもよい。この場合には、シール部材４２を開ける動作により、容器本体１０内の袋体３０の引出部３１を引き出すことができるため、引出部３１を開口部４１からつまみ出すような煩雑な操作を不要とすることができ、製品の利便性を向上させることができる。
【００３０】
溶液封入部５０ａは、容器本体１０内に配置された簡易容器であり、内部に液体が封入され、外気から遮断されている状態とする。この溶液封入部５０ａとしては、液体を密封できる容器であれば、ビニール袋や真空パック、カプセル、プラスチック容器等を採用することができる。この溶液封入部５０ａは、容器本体１０内に袋体３０を収容した状態で、袋体とは別に配置されている。この溶液封入部５０ａは、開封する前に容器本体１０内で潰すなどの刺激を加える操作により、押圧力で破裂されたり破断されたりして、内部の液体が容器本体１０内に流出されるように、構成されている。
【００３１】
さらに、本実施形態では、包装容器１内且つ袋体３０の外部に混合剤５０ｂが配置されている。この混合剤５０ｂとしては、例えば、美容剤、医薬、香料、薬剤、界面活性剤、保湿剤、消臭剤、保存剤・殺菌剤、発熱剤、冷却剤等が含まれ、これらの成分を溶解或いは配合させた水や有機系の溶液や溶剤であったり、これらの成分をカプセルに充填したり、フリーズドライ製法等でパウダー状にしたり、固化させてフィルム状にしたりなど、公知の形態が好適に使用可能であり、これらを上述した水等の液状成分と混合させて使用する。
【００３２】
（使用方法）
次いで、上述した包装容器の使用方法について説明する。図４は、本実施形態に係る包装容器の使用状態を示す側断面図である。本実施例における包装容器１は、図４（ａ）に示すように、開封前にあっては、吸水性の内容物１１が乾燥された状態で袋体３０に収容されているとともに、この袋体３０とは別に、液体１２が封入された溶液封入部５０ａが容器本体１０内に配置され、開閉部を封止することにより製品として完成されている。
【００３３】
そして、製品の使用時には、図４（ｂ）に示すように、先ず、開閉部を開封する前に、乾燥した内容物１１を容器本体１０内に収納した状態において、溶液封入部５０ａを外部から圧力をかけて潰す等の刺激を加える方法によって破断させ、溶液封入部５０ａ内の液体１２を容器本体１０内に流出させる。このとき内容物は乾燥した状態で袋体内に収容されており、流出された液体が含浸することはない。なお混合剤５０ｂを使用する場合は、容器本体１０を揉んだり振ったりすることによって、混合剤５０ｂと液体１２とを十分に混合させ、混合された溶液が内容物１１の周囲によく行き渡るようにする。
【００３４】
次に、図４（ｃ）に示すように、シール部材４２を剥がして開口部４１を開口させ、露出した引出部３１を指で摘まんで引っ張る。すると、容器本体１０内部では、袋体３０の一部又は全体が開口部４１から外部へ引き出されることによって破断部３０ｂが破断し、内容物１１が袋体３０外に露出され、周囲の液体が吸収され含浸される。引出部３１を開口部４１から引き出すことによって、破断した袋体３０を容器本体１０内に内容物１１を残したまま取り出してもよい。
【００３５】
このとき、図３に示すように、引出部３１を引き出して底面側の破断部３０ｂを破断させた後に、袋体３０本体を、容器本体１０内に残したまま、引出部３１を切取線３０ａに沿って引き千切って切除するようにしてもよい。このように引出部３１を切除することにより、袋体３０上部に開口部が形成され、この開口部からも袋体の底面側内に液体を流入させることができるとともに、袋体３０を取り除く作業をしなくても、引出部を切除した開口部から内容物１１を取り出すことができる。その後の保管時にあっては、図４（ｄ）に示すように、シール部材４２を閉止して、内部の液体が蒸発するのを防止する。
【００３６】
（作用効果）
このような本実施形態によれば、開封前には、吸水性の内容物１１が乾燥された状態で袋体３０に収容されているとともに、この袋体３０とは別に、液体１２が封入された溶液封入部５０ａを容器本体１０内に配置しているため、内容物１１に液体１２が含浸することがなく、開封前の内容物１１が容器本体１０内に収納されている間に、雑菌・ウィルスが付着、繁殖しやすくなるのを回避して、衛生面を向上させることができる。また、液体１２は溶液封入部５０ａに封入され、外気から遮断されている状態とすることができることから、防腐剤や殺菌剤・防菌剤等の刺激性のある成分を配合する必要がなく、内容物１１がウエットシートなどの皮膚に直接接触させるものであっても、アレルギーや肌荒れ等のトラブルを防止できる。
【００３７】
また、内容物１１の使用に際してシール部材４２を開封する前に溶液封入部５０ａを潰すなどの刺激を加えることによって破断させて、溶液封入部５０ａ内の液体１２を容器本体１０内に流出させることができる。これにより、容器本体１０を揉んだり振ったりすることによって、容器本体１０内に液体１２が行き渡るようにした後に、袋体３０を引き出して除去して内容物１１を袋体３０外に露出させることができ、周囲の液体１２を内容物１１に十分に含浸させることができる。
【００３８】
また、このような本実施形態によれば、包装容器１内において、袋体３０の外部に配置され、溶液封入部５０ａに封入された液体１２に混合される混合剤５０ｂをさらに備えることによって、未開封の状態にあっては、液体１２に混合される成分を、液体１２と分けて保存することができるため、成分の劣化や雑菌・ウィルスの繁殖等を抑制するとともに、成分の鮮度を維持できるため、衛生面をさらに向上させることができる。特に、本発明では、シール部材４２を開封する直前に溶液封入部５０ａ内の液体１２を容器本体１０内に流出させることから、容器本体１０を揉んだり振ったりすることによって、容器本体１０内の液体と混合剤５０ｂとを十分に混合させ、混合された溶液が内容物１１の周囲に十分に行き渡るようにしたうえで内容物１１に含浸させることができ、混合剤５０ｂが混合した溶液を均一に内容物に吸収させることができる。
【００３９】
［第２実施形態］
次いで、添付図面を参照して、本発明に係る包装容器の第２実施形態を詳細に説明する。図５は、第２実施形態に係る包装容器の全体構成を示す透過正面図であり、図６は、第２実施形態に係る包装容器の全体構成を示す透過斜視図である。なお、本実施形態において、上述した実施形態と同一の構成要素には同一の符号を付し、その機能等は特に言及しない限り同一であり、その説明は省略する。
【００４０】
（包装容器の構成）
図５（ａ）及び図６に示すように、本実施形態では、容器本体がキャップによって閉止されるパック容器６０であり、開閉部は、パック容器６０内部の中空部６３に連通する開口部４１と、容器本体１０の外表面において開口部４１を塞ぐ部材であって、開口部４１に螺合されるキャップ状をなすキャップ部材４３とから構成される。
【００４１】
キャップ部材４３は、開口部４１を開閉可能とし、この開口部４１から混合剤や薬剤・美容剤等を追加投入できるようになっている。これにより、容器内の液体の成分をカスタマイズすることもできる。なお、開口部４１やキャップ部材４３は、同図（ａ）に示した位置に限らず、例えば同図（ｂ）に示すような、パック容器６０上部片側に傾斜させて配置するようにしてもよい。
【００４２】
上記引出部３１は、キャップ部材４３に対して接離可能に固着されていてもよい。この場合には、キャップ部材４３を開ける動作により、容器本体１０内の袋体３０の引出部３１を引き出すことができるため、引出部３１を開口部４１からつまみ出すような煩雑な操作を不要とすることができ、製品の利便性を向上させることができる。
【００４３】
さらに、本実施形態では、パック容器６０には、切欠部６４ａから切取線６４ｂに沿って引き千切られることにより開放される開封部６４が形成されるとともに、この開封部６４には開閉可能に開口を閉止するジッパー（商標）やチャック等の封止部４４が設けられている。この封止部は、開封部の開口をチャックなどにより気密状に封止するものである。
【００４４】
（使用方法１）
以上の構成を有する包装容器は本発明の使用方法によって用いることができる。本実施形態に係る包装容器の使用方法１を示す説明図である。本使用法における包装容器１は、図７（ａ）に示すように、開封前にあっては、吸水性の内容物１１が乾燥された状態で袋体３０に収容されているとともに、この袋体３０とは別に、液体１２が封入された溶液封入部５０ａが容器本体１０内に配置され、開閉部をキャップ部材４３によって封止することにより製品として完成されている。
【００４５】
そして、製品の使用時には、図７（ｂ）に示すように、先ず、開閉部を開封する前に、乾燥した内容物１１を容器本体１０内に収納した状態において、溶液封入部５０ａを外部から圧力をかけて潰す等の刺激を加える方法によって破断させ、溶液封入部５０ａ内の液体１２を容器本体１０内に流出させる。このとき内容物は乾燥した状態で袋体内に収容されており、流出された液体が含浸することはない。なお混合剤５０ｂを使用する場合は、容器本体１０を揉んだり振ったりすることによって、混合剤５０ｂと液体１２とを十分に混合させ、混合された溶液が内容物１１の周囲によく行き渡るようにする。このとき、キャップ部材４３を開口部４１から外して開口部４１から混合剤や薬剤・美容剤等を追加投入してもよく、これにより容器内の液体の成分をカスタマイズできる。
【００４６】
次に、図７（ｃ）に示すように、キャップ部材４３を外して、開口部４１を開口させ、露出した引出部３１を指で摘まんで引き出す。すると、容器本体１０内部では、袋体３０全体が開口部４１から外部へ引き抜かれことによって破断部３０ｂが破断し、内容物１１が袋体３０外に露出され、図７（ｄ）に示すように、周囲の液体が吸収され含浸される。
【００４７】
その後は、図７（ｅ）に示すように、切取線６４ｂから上部を引き千切って切除することにより、開封部を開放させ、破断した袋体３０を開封部から引き出すことによって、容器本体１０内に内容物１１を残したまま取り出す。この開封部６４はチャック等の封止部４４により開閉が可能となっており、封止部４４を開けることで、内容物１１を適宜取り出して使用することができる。保管時にあっては、開封部６４の封止部４４を閉止して、内部の液体が蒸発するのを防止する。
【００４８】
（使用方法２）
次いで、他の使用方法について説明する。本実施形態に係る包装容器の使用方法２を示す説明図である。図８（ａ）に示すように、本使用法における開封前にあっては、吸水性を有し且つ凝縮された内容物１４が乾燥された状態で、キャップ部材４３に糸１４ａで吊されて袋体３０に収容されているとともに、この袋体３０とは別に、液体１２が封入された溶液封入部５０ａが容器本体１０内に配置され、開閉部をキャップ部材４３によって封止することにより製品として完成されている。なお、内容物１４は、顔や首、身体の全部又は部分的なマスクやシートでもよい。
【００４９】
そして、製品の使用時には、図８（ｂ）に示すように、先ず、開閉部を開封する前に、乾燥した内容物１４を容器本体１０内に収納した状態において、溶液封入部５０ａを外部から圧力をかけて潰す等の刺激を加える方法によって破断させ、溶液封入部５０ａ内の液体１２を容器本体１０内に流出させる。このとき内容物は乾燥した状態で袋体内に収容されており、流出された液体が含浸することはない。なお混合剤５０ｂを使用する場合は、容器本体１０を揉んだり振ったりすることによって、混合剤５０ｂと液体１２とを十分に混合させ、混合された溶液が内容物１１の周囲によく行き渡るようにする。このとき、キャップ部材４３を開口部４１から外して開口部４１から混合剤や薬剤・美容剤等を追加投入してもよく、これにより容器内の液体の成分をカスタマイズできる。
【００５０】
次に、図８（ｃ）に示すように、キャップ部材４３を外して、開口部４１を開口させ、露出した引出部３１を指で摘まんで引き出す。すると、容器本体１０内部では、袋体３０全体が開口部４１から外部へ引き抜かれことによって破断部３０ｂが破断し、内容物１１が袋体３０外に露出され、図８（ｃ）に示すように、周囲の液体が吸収され含浸される。これにより、内容物１４は、液体を吸収することにより膨張して元のフェイスマスクの大きさとなる。
【００５１】
その後は、図８（ｅ）に示すように、切取線６４ｂから上部を引き千切って切除することにより、開封部を開放させ、破断した袋体３０を開封部から引き出すことによって、容器本体１０内に内容物１１を残したまま取り出す。この開封部６４は、チャック等の封止部４４により開閉が可能となっており、封止部４４を開けることで、内容物１１を適宜取り出して使用することができる。保管時にあっては、開封部の封止部４４を閉止して、内部の液体が蒸発するのを防止する。
【００５２】
なお、ここで説明した使用方法１では、袋体３０内に内容物１４を糸１４ａで吊す構成としたが、糸１４ａによって開封前の液体１２との接触を回避できることから、袋体３０を省略するようにしてもよい。一方、袋体３０により開封前の液体１２との接触を回避できる場合には、糸１４ａを省略するようにしてもよい。
【００５３】
（作用・効果）
以上説明した本実施形態によれば、開口部４１に螺合されるキャップ部材４３で開口部４１を塞ぐため、繰り返し開閉しても内部の湿潤状態を維持することができるとともに、雑菌・ウィルス等の混入を防ぐとことができる。また、キャップ部材４３は、開口部４１を開閉可能とし、この開口部４１から混合剤や薬剤・美容剤等を追加投入できるようになっているため、容器内の液体の成分をカスタマイズすることもできる。
【００５４】
さらに、本実施形態によれば、上述したキャップ部材４３を開ける動作により、容器本体１０内の袋体３０の引出部３１を引き出すことができるため、引出部３１を開口部４１からつまみ出すような煩雑な操作を不要とすることができ、製品の利便性を向上させることができる。
【００５５】
［変更例］
なお、上述した実施形態の説明は、本発明の一例である。このため、本発明は上述した実施形態に限定されることなく、本発明に係る技術的思想を逸脱しない範囲であれば、設計等に応じて種々の変更が可能である。例えば、上記実施携帯では、キャップやシールを使用したが、これを省略して単に引き千切って除去して開封する使い捨てタイプとしたり、開封にチャックやジッパー等で再封止可能なタイプとしてもよい。
【符号の説明】
【００５６】
１…包装容器
１０…容器本体
１０ａ…端部
１１，１４…内容物
１２…液体
１４ａ…糸
３０…袋体
３０ａ…切取線
３０ｂ…破断部
３１…引出部
４１…開口部
４２…シール部材
４３…キャップ部材
４４…密着部
５０ａ…溶液封入部
５０ｂ…混合剤
６０…パック容器
６３…中空部
６４…開封部
６４ａ…切欠部
６４ｂ…切取線
【図１】
2018100713.tif 000003
【図２】
2018100713.tif 000004
【図３】
2018100713.tif 000005
【図４】
2018100713.tif 000006
【図５】
2018100713.tif 000007
【図６】
2018100713.tif 000008
【図７】
2018100713.tif 000009
【図８】
2018100713.tif 000010
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
液体が含浸される吸水性の内容物を収容する包装容器であって、
開閉可能な開閉部を有する容器本体と、
前記容器本体内に配置され液体が封入された溶液封入部と、
前記内容物が封入された状態で前記容器本体内に収容される袋体と、
前記袋体の一部であって、前記開閉部から引き出される引出部と、
前記袋体の一部に形成され、前記袋体を破断させる破断部と
を備えることを特徴とする包装容器。
【請求項２】
前記包装容器内において、前記袋体の外部に配置され、前記溶液封入部に封入された液体に混合される混合剤をさらに備えることを特徴とする請求項１に記載の包装容器。
【請求項３】
前記容器本体には、切取線に沿って開封する開封部が形成されるとともに、前記開封部には開閉可能に前記開封部の開口を閉止する封止部が設けられ、
前記引出部には、前記開口部を塞ぐ部材に対して接離可能に固着されている
ことを特徴とする請求項１又は２に記載の包装容器。
【請求項４】
請求項１乃至３のいずれかに記載の包装容器の使用方法であって、
前記容器本体の前記開閉部を閉止した状態で、前記容器本体内に配置された溶液封入部を破断させ、前記溶液封入部内の液体を、前記袋体外であって前記容器本体内に行き渡らせた後に、前記開閉部を開放し、前記開閉部から前記引出部を引っ張って前記袋体を前記破断部にて破断させ、前記内容物に前記液体を含浸させる
ことを特徴とする包装容器の使用方法。
【国際調査報告】
2018100713.tif 000011
2018100713.tif 000012
2018100713.tif 000013
2018100713.tif 000014